(57)【要約】【課題】無線機器がメッシュ状に接続された無線ネットワークにおいて、任意の無線機器とゲートウェイとを結ぶ通信経路を表示画面で容易に確認可能とする。【解決手段】通信状態情報取得部１５Ｂが通信回線Ｌを介してゲートウェイＧＷから取得した通信状態情報に基づいて、無線リンク選択部１５Ｃが、各無線リンクのうちから、評価対象である対象無線機器とゲートウェイＧＷとの間を結ぶ対象通信経路を構成し、かつ、指定された表示条件に応じたリンク種別の無線リンクを、表示無線リンクとして選択し、無線機器選択部１５Ｄが、各無線機器のうちから、表示無線リンクに接続されている無線機器を表示無線機器として選択し、通信経路表示部１５Ｅが、対象無線機器とゲートウェイＧＷとの間を結ぶ対象通信経路として、表示無線リンクおよび表示無線機器から構成される表示通信経路を画面表示する。【選択図】  図１
2015099953.tif 000002
【特許請求の範囲】
【請求項１】
ゲートウェイの配下に無線リンクを介してメッシュ状に接続された複数の無線機器を有する無線ネットワークで用いられて、前記無線機器および前記無線リンクを介して、任意の対象無線機器と前記ゲートウェイとの間を結ぶ対象通信経路を画面表示する通信経路表示装置であって、
前記各無線リンクを介した前記各無線機器の接続関係、および前記無線リンクごとに付与されたリンク種別を含む通信状態情報を、前記ゲートウェイから取得する通信状態情報取得部と、
前記通信状態情報に基づいて、前記無線リンクのうちから、前記対象無線機器と前記ゲートウェイとの間を結ぶ前記対象通信経路を構成し、かつ、指定された表示条件に応じたリンク種別の無線リンクを、表示無線リンクとして選択する無線リンク選択部と、
前記通信状態情報に基づいて、前記無線機器のうちから、前記表示無線リンクに接続されている無線機器を表示無線機器として選択する無線機器選択部と、
前記対象無線機器と前記ゲートウェイとの間を結ぶ対象通信経路として、前記表示無線リンクおよび前記表示無線機器から構成される表示通信経路を画面表示する通信経路表示部と
を備えることを特徴とする通信経路表示装置。
【請求項２】
請求項１に記載の通信経路表示装置において、
前記各無線リンクのリンク種別は、当該無線リンクの通信品質に応じて前記ゲートウェイにより付与された当該無線リンクの使用優先順位からなり、
前記無線リンク選択部は、前記表示無線リンクを選択する際、前記無線リンクのうちから、前記対象無線機器と前記ゲートウェイとの間を結ぶ前記対象通信経路を構成し、かつ、前記表示条件で指定された順位以上の使用優先順位を示すリンク種別の無線リンクを、前記表示無線リンクとして選択する
ことを特徴とする通信経路表示装置。
【請求項３】
請求項１または請求項２に記載の通信経路表示装置において、
前記無線リンク選択部は、前記表示無線リンク以外の前記無線リンクのうちから、前記表示無線機器ごとに、当該表示無線機器の配下に接続され、かつ、前記表示条件と一致するリンク種別の無線リンクを、省略無線リンクとして選択し、
前記無線機器選択部は、前記無線機器のうちから、前記表示無線機器ごとに、前記省略無線リンクを介して前記表示無線機器の配下に接続されている省略無線機器を選択し、
前記通信経路表示部は、前記表示通信経路を画面表示する際、前記表示無線機器ごとに、当該表示無線機器の配下に接続されている前記省略無線機器を当該機器数で省略表示する
ことを特徴とする通信経路表示装置。
【請求項４】
請求項２または請求項３に記載の通信経路表示装置において、
前記通信経路表示部は、前記表示通信経路を画面表示する際、当該表示無線リンクのリンク種別に基づいて、前記表示無線リンクを区別して画面表示することを特徴とする通信経路表示装置。
【請求項５】
ゲートウェイの配下に無線リンクを介してメッシュ状に接続された複数の無線機器を有する無線ネットワークで用いられて、前記無線機器および前記無線リンクを介して、任意の対象無線機器と前記ゲートウェイとの間を結ぶ対象通信経路を画面表示する通信経路表示装置で用いられる通信経路表示方法であって、
通信状態情報取得部が、前記各無線リンクを介した前記各無線機器の接続関係、および前記無線リンクごとに付与されたリンク種別を含む通信状態情報を、前記ゲートウェイから取得する通信状態情報取得ステップと、
無線リンク選択部が、前記通信状態情報に基づいて、前記無線リンクのうちから、前記対象無線機器と前記ゲートウェイとの間を結ぶ前記対象通信経路を構成し、かつ、指定された表示条件に応じたリンク種別の無線リンクを、表示無線リンクとして選択する無線リンク選択ステップと、
無線機器選択部が、前記通信状態情報に基づいて、前記無線機器のうちから、前記表示無線リンクに接続されている無線機器を表示無線機器として選択する無線機器選択ステップと、
通信経路表示部が、前記対象無線機器と前記ゲートウェイとの間を結ぶ対象通信経路として、表示無線リンクおよび表示無線機器から構成される表示通信経路を画面表示する通信経路表示ステップと
を備えることを特徴とする通信経路表示方法。
【発明の詳細な説明】
【技術分野】
【０００１】
本発明は、無線ネットワーク評価技術に関し、特に無線ネットワーク上で冗長的に形成される通信経路を画面表示する通信経路表示技術に関する。
【背景技術】
【０００２】
工場やプラントなどの施設では、設備に設置されている各種フィールド機器を遠隔制御する施設管理システムを用いて、各設備の運転状況を監視している。このような施設管理システムでは、フィールド機器として、従来の有線回線を介して接続される有線機器に代えて、無線回線を介して接続される無線機器の導入が進んでいる。これにより、配線が困難な箇所へのフィールド機器の設置が可能となり、また配線による設置コスト上昇の抑制が可能となる。
【０００３】
このような施設管理システムで使用される無線ネットワークの代表的な無線通信規格として、国際計測制御学会（ＩＳＡ：International Society of Automation）により策定された、国際標準規格ＩＳＡ１００．１１ａがある。
このＩＳＡ１００．１１ａは、無線通信を中継接続する機能を各無線機器に搭載し、これら無線機器を無線リンクを介してメッシュ状に接続して無線ネットワークを構築することにより、また必要に応じて中継器を配置することにより、低コストおよび低消費電力で広い無線通信エリアを実現している。
【０００４】
このような無線ネットワークでは、無線機器とゲートウェイとを接続する通信経路のうち特定の無線区間において、通信経路を冗長化する場合がある。例えば、工場やプラントなどの施設では、トラックなどの大型車両が移動するため、このトラックやトラックに搭載された積荷などにより通信経路が遮断されて、一時的に無線通信状況が悪化する場合がある。このため、ＩＳＡ１００．１１ａでは、特定の無線区間について複数の通信経路が成立するよう無線機器を配置しておき、これら無線機器間を結ぶ無線リンクの通信状況に応じて、ゲートウェイがこれら通信経路のうちから最も通信品質の高い通信経路を選択することにより、無線通信の信頼性を確保している。
【０００５】
したがって、無線機器の無線通信状況の変化が、通信経路の構成さらには通信品質に大きな影響を及ぼすため、無線機器の移設・新規設置やメンテナンスによる無線機器の一時停止などの作業時には、無線機器とゲートウェイとを結ぶ通信経路が、どの無線機器および無線リンクから構成されているかを把握しておく必要がある。
従来、このような無線ネットワークの経路情報を画面表示する技術として、無線ネットワークを構成するすべての無線機器と、これら無線機器を結ぶ各無線リンクとをアイコンなどの表示シンボルで画面表示し、各無線リンクの安定度を表示シンボルに表示される棒グラフで識別表示する技術が提案されている（例えば、引用文献１など参照）。
【先行技術文献】
【特許文献】
【０００６】
【特許文献１】特開２０１２−１３８８３０号公報
【発明の概要】
【発明が解決しようとする課題】
【０００７】
しかしながら、このような従来技術では、無線ネットワークを構成するすべての無線機器が画面表示されるため、評価対象となる無線機器の通信経路を容易に確認することができないという問題点があった。
【０００８】
すなわち、無線機器の移設・新規設置やメンテナンスによる無線機器の一時停止などの作業時において、正確に評価対象となる無線機器の通信経路の形成状況を把握することは、必須の作業である。一方、工場やプラントなどの施設では、設置されている設備数も多く規模も大きいため、これら設備に設置されるフィールド機器の機器数も極めて多く、その種類も多義に渡る。したがって、従来技術によれば、これらすべての無線機器が一括して画面表示されるため、評価対象となる無線機器の通信経路を容易に確認することが難しく、通信経路の確認のための作業負担が増加し、作業品質が低下する要因になる場合も考えられる。
【０００９】
本発明はこのような課題を解決するためのものであり、ゲートウェイの配下に無線リンクを介して複数の無線機器がメッシュ状に接続された無線ネットワークにおいて、任意の無線機器とゲートウェイとを結ぶ通信経路を表示画面で容易に確認できる通信経路表示技術を提供することを目的としている。
【課題を解決するための手段】
【００１０】
このような目的を達成するために、本発明にかかる通信経路表示装置は、ゲートウェイの配下に無線リンクを介してメッシュ状に接続された複数の無線機器を有する無線ネットワークで用いられて、前記無線機器および前記無線リンクを介して、任意の対象無線機器と前記ゲートウェイとの間を結ぶ対象通信経路を画面表示する通信経路表示装置であって、前記各無線リンクを介した前記各無線機器の接続関係、および前記無線リンクごとに付与されたリンク種別を含む通信状態情報を、前記ゲートウェイから取得する通信状態情報取得部と、前記通信状態情報に基づいて、前記無線リンクのうちから、前記対象無線機器と前記ゲートウェイとの間を結ぶ前記対象通信経路を構成し、かつ、指定された表示条件に応じたリンク種別の無線リンクを、表示無線リンクとして選択する無線リンク選択部と、前記通信状態情報に基づいて、前記無線機器のうちから、前記表示無線リンクに接続されている無線機器を表示無線機器として選択する無線機器選択部と、前記対象無線機器と前記ゲートウェイとの間を結ぶ対象通信経路として、前記表示無線リンクおよび前記表示無線機器から構成される表示通信経路を画面表示する通信経路表示部とを備えている。
【００１１】
また、本発明にかかる上記通信経路表示装置の一構成例は、前記各無線リンクのリンク種別が、当該無線リンクの通信品質に応じて前記ゲートウェイにより付与された当該無線リンクの使用優先順位からなり、前記無線リンク選択部は、前記表示無線リンクを選択する際、前記無線リンクのうちから、前記対象無線機器と前記ゲートウェイとの間を結ぶ前記対象通信経路を構成し、かつ、前記表示条件で指定された順位以上の使用優先順位を示すリンク種別の無線リンクを、前記表示無線リンクとして選択するようにしたものである。
【００１２】
また、本発明にかかる上記通信経路表示装置の一構成例は、前記無線リンク選択部が、前記表示無線リンク以外の前記無線リンクのうちから、前記表示無線機器ごとに、当該表示無線機器の配下に接続され、かつ、前記表示条件と一致するリンク種別の無線リンクを、省略無線リンクとして選択し、前記無線機器選択部は、前記無線機器のうちから、前記表示無線機器ごとに、前記省略無線リンクを介して前記表示無線機器の配下に接続されている省略無線機器を選択し、前記通信経路表示部は、前記表示通信経路を画面表示する際、前記表示無線機器ごとに、当該表示無線機器の配下に接続されている前記省略無線機器を当該機器数で省略表示するようにしたものである。
【００１３】
また、本発明にかかる上記通信経路表示装置の一構成例は、前記通信経路表示部が、前記表示通信経路を画面表示する際、当該表示無線リンクのリンク種別に基づいて、前記表示無線リンクを区別して画面表示するようにしたものである。
【００１４】
また、本発明にかかる通信経路表示方法は、ゲートウェイの配下に無線リンクを介してメッシュ状に接続された複数の無線機器を有する無線ネットワークで用いられて、前記無線機器および前記無線リンクを介して、任意の対象無線機器と前記ゲートウェイとの間を結ぶ対象通信経路を画面表示する通信経路表示装置で用いられる通信経路表示方法であって、通信状態情報取得部が、前記各無線リンクを介した前記各無線機器の接続関係、および前記無線リンクごとに付与されたリンク種別を含む通信状態情報を、前記ゲートウェイから取得する通信状態情報取得ステップと、無線リンク選択部が、前記通信状態情報に基づいて、前記無線リンクのうちから、前記対象無線機器と前記ゲートウェイとの間を結ぶ前記対象通信経路を構成し、かつ、指定された表示条件に応じたリンク種別の無線リンクを、表示無線リンクとして選択する無線リンク選択ステップと、無線機器選択部が、前記通信状態情報に基づいて、前記無線機器のうちから、前記表示無線リンクに接続されている無線機器を表示無線機器として選択する無線機器選択ステップと、通信経路表示部が、前記対象無線機器と前記ゲートウェイとの間を結ぶ対象通信経路として、表示無線リンクおよび表示無線機器から構成される表示通信経路を画面表示する通信経路表示ステップとを備えている。
【発明の効果】
【００１５】
本発明によれば、評価対象である無線機器とゲートウェイとを結ぶ対象通信経路だけでなく、これら対象通信系のうち、表示条件に応じた表示通信経路のみが選択されて画面表示される。したがって、ゲートウェイの配下に無線リンクを介して複数の無線機器がメッシュ状に接続された無線ネットワークにおいて、任意の無線機器とゲートウェイとを結ぶ通信経路が冗長的に複数存在する場合でも、現在使用されている現用系の通信経路、さらには予備系として使用される可能性が高い通信経路を正確に画面表示することができる。
【００１６】
このため、作業者は、通信ネットワーク全体が画面表示された煩雑な表示画面として比較して、評価対象となる無線機器の通信経路の形成状況を表示画面で容易に確認することが可能となる。したがって、無線機器の移設・新規設置やメンテナンスによる無線機器の一時停止などの作業時において、極めて正確に評価対象となる無線機器の通信経路の形成状況を把握することができ、作業負担の軽減や作業品質の向上を実現することが可能となる。
【図面の簡単な説明】
【００１７】
【図１】第１の実施の形態にかかる通信経路表示装置の構成を示すブロック図である。
【図２】通信状態情報の構成例である。
【図３】第１の実施の形態にかかる通信経路表示処理を示すフローチャートである。
【図４】無線ネットワークの構成例である。
【図５】第１の実施の形態にかかる対象通信経路の画面表示例である。
【図６】第２の実施の形態にかかる通信経路表示処理を示すフローチャートである。
【図７】第２の実施の形態にかかる対象通信経路の画面表示例である。
【図８】第２の実施の形態にかかる対象通信経路の他の画面表示例である。
【発明を実施するための形態】
【００１８】
［発明の原理］
まず、本発明の原理について説明する。
工場やプラントなどの施設で用いられる施設管理システムでは、施設内に設置した各フィールド機器からデータを収集するための通信ネットワークとして、国際規格ＩＳＡ１００．１１ａに代表されるような、ゲートウェイの配下に無線リンクを介して、フィールド機器や中継器などからなる複数の無線機器がメッシュ状に接続された無線ネットワークが用いられる。
【００１９】
このような無線ネットワークでは、各無線リンクの通信状況をゲートウェイが収集し、これら通信状況に応じて、各無線機器が送信時に使用する無線リンクを選択して各無線機器に指示するものとなっている。この際、ゲートウェイは各無線リンクに、それぞれの無線リンクの通信品質に応じて無線リンクの使用優先順位を示すリンク種別を付与して管理している。例えば、国際規格ＩＳＡ１００．１１ａでは、任意の無線機器が送信時に使用する無線リンクのうち、最も通信品質の高い無線リンクに対してプライマリというリンク種別を付与し、その次に通信品質の高い無線リンクに対してセカンダリというリンク種別を付与し、プライマリの無線リンクから優先して通信経路に使用するものとなっている。
【００２０】
本発明は、このような各無線リンクを介した各無線機器の接続関係と、これら無線リンクに対して付与されたリンク種別とを含む通信状態情報が、ゲートウェイで管理されていることに着目したものである。そして、ゲートウェイから取得した通信状態情報に基づいて、評価対象となる無線機器とゲートウェイとを結ぶ対象通信経路を構成する無線リンクであって、かつ、指定された表示条件に応じたリンク種別の無線リンクを表示無線リンクとして選択し、これら表示無線リンクに接続されている無線機器を表示無線機器として選択し、これら表示無線リンクおよび表示無線機器から構成される表示通信経路を画面表示するようにしたものである。
【００２１】
これにより、ゲートウェイの配下に無線リンクを介して複数の無線機器がメッシュ状に接続された無線ネットワークにおいて、任意の無線機器とゲートウェイとを結ぶ通信経路が冗長的に複数存在する場合でも、現用系の通信経路、さらには予備系として使用される可能性が高い通信経路を正確に画面表示することができる。これにより、作業者は、通信ネットワーク全体が画面表示された煩雑な表示画面として比較して、評価対象となる無線機器の通信経路の形成状況を表示画面で容易に確認することが可能となる。
【００２２】
次に、本発明の実施の形態について図面を参照して説明する。
［第１の実施の形態］
まず、図１を参照して、本発明の第１の実施の形態にかかる通信経路表示装置１０について説明する。図１は、第１の実施の形態にかかる通信経路表示装置の構成を示すブロック図である。
【００２３】
この通信経路表示装置１０は、全体としてパーソナルコンピュータなどの情報処理装置からなり、ゲートウェイＧＷの配下に無線リンクを介してメッシュ状に接続された複数の無線機器を有する無線ネットワーク１で用いられて、これら無線機器および無線リンクを介して、任意の対象無線機器とゲートウェイとの間を結ぶ対象通信経路を画面表示する機能を有している。
【００２４】
無線ネットワーク１は、ゲートウェイＧＷと、このゲートウェイＧＷの配下に無線リンクを介してメッシュ状に接続された複数の無線機器および中継器ＡＰからなる無線機器群２０から構成されており、無線機器から送信されたデータが、各無線機器および中継器を介してゲートウェイＧＷまで転送され、ホストシステムＨＳへ出力されて当該データを用いた処理が実行される。
工場やプラントなどの施設で用いられる施設管理システムで無線ネットワーク１が用いられる場合、施設に設置されたフィールド機器が無線機器として動作し、フィールド機器で得られたデータがゲートウェイＧＷまで転送されて、ホストシステムＨＳに相当する施設管理システムの管理装置で、これらデータに基づく施設の動作状況が管理される。
【００２５】
本発明は、通信経路表示装置１０が、通信回線Ｌを介してゲートウェイＧＷから取得した通信状態情報に基づいて、各無線リンクのうちから、評価対象である対象無線機器とゲートウェイＧＷとの間を結ぶ対象通信経路を構成し、かつ、指定された表示条件に応じたリンク種別の無線リンクを、表示無線リンクとして選択し、各無線機器のうちから、表示無線リンクに接続されている無線機器を表示無線機器として選択し、対象無線機器とゲートウェイＧＷとの間を結ぶ対象通信経路として、表示無線リンクおよび表示無線機器から構成される表示通信経路を画面表示するようにしたものである。
【００２６】
［通信経路表示装置］
次に、図１を参照して、本実施の形態にかかる通信経路表示装置１０の構成について詳細に説明する。
通信経路表示装置１０には、主な機能部として、通信Ｉ／Ｆ部１１、操作入力部１２、画面表示部１３、記憶部１４、および演算処理部１５が設けられている。
【００２７】
通信Ｉ／Ｆ部１１は、通信回線Ｌを介して接続したゲートウェイＧＷなどの外部装置との間でデータ通信を行うことにより、無線状態情報などの各種データをやり取りする機能を有している。
操作入力部１２は、キーボード、マウス、タッチパネルなどの操作入力装置からなり、作業者の操作を検出して演算処理部１５へ出力することにより、評価対象となる無線機器や表示条件などの各種情報の操作入力を受け付ける機能を有している。
画面表示部１３は、ＬＣＤなどの画面表示装置からなり、演算処理部１５から出力された表示通信経路などの各種情報を画面表示する機能を有している。
【００２８】
記憶部１４は、半導体メモリやハードディスクなどの記憶装置からなり、演算処理部１５での通信経路表示処理に用いる各種処理情報やプログラム１４Ｐを記憶する機能を有している。
プログラム１４Ｐは、演算処理部１５のＣＰＵで実行されることにより、通信経路表示処理のための処理部を実現するプログラムであり、通信Ｉ／Ｆ部１１を介して接続された外部装置や記録媒体から読み込まれて予め記憶部１４に格納される。
【００２９】
記憶部１４で記憶される主な処理情報として、通信状態情報１４Ａがある。通信状態情報１４Ａは、各無線リンクを介した各無線機器の接続関係、各無線リンクのリンク状態、および無線リンクごとに予め付与された当該無線リンクの使用優先順位を示すリンク種別が含まれている。この通信状態情報１４Ａは、ゲートウェイＧＷがＩＳＡ１００．１１ａなどで規定されている標準機能を利用して、各無線機器から収集し生成したものである。
【００３０】
図２は、通信状態情報の構成例である。ここでは、無線リンクを識別するためのリンクＩＤごとに、当該無線リンクの送信側無線機器と受信側無線機器、リンク状態（有効／無効）、リンク種別（プライマリ／セカンダリ）の組が登録されている。このうち使用優先順位が最も高いプライマリの無線リンクが現用系の通信経路として使用されており、プライマリの次に使用優先順位が高いセカンダリの無線リンクが予備系の通信経路として使用される可能性が高いことを表している。
【００３１】
演算処理部１５は、ＣＰＵおよびその周辺回路を有し、記憶部１４のプログラムを読み出して実行することにより、通信経路表示処理を行う各種処理部を実現する機能を有している。
演算処理部１５には、主な処理部として、表示条件入力部１５Ａ、通信状態情報取得部１５Ｂ、無線リンク選択部１５Ｃ、無線機器選択部１５Ｄ、および通信経路表示部１５Ｅが設けられている。
【００３２】
表示条件入力部１５Ａは、操作入力部１２により検出された作業者操作に応じて、評価対象となる対象無線機器および表示条件を取得する機能を有している。表示条件は、無線リンクのうち表示すべき無線リンクを指定するための条件であり、各無線リンクに付与されたリンク種別で指定される。例えば、表示条件としてプライマリが指定された場合、リンク種別がプライマリの無線リンクからなる通信経路のみが画面表示される。また、表示条件としてセカンダリが指定された場合、リンク種別がセカンダリ以上の使用優先順位の無線リンク、すなわちプライマリまたはセカンダリの無線リンクからなる通信経路のみが画面表示される。
【００３３】
通信状態情報取得部１５Ｂは、通信Ｉ／Ｆ部１１から通信回線Ｌを介してゲートウェイＧＷとデータ通信を行うことにより、ゲートウェイＧＷから最新の通信状態情報１４Ａを取得して記憶部１４に保存する機能を有している。
【００３４】
無線リンク選択部１５Ｃは、記憶部１４の通信状態情報１４Ａに基づいて、表示条件入力部１５Ａで取得した評価対象となる対象無線機器とゲートウェイＧＷとの間を結ぶ各対象通信経路を特定する機能と、各無線リンクのうちから、これら対象通信経路を構成し、かつ、指定された表示条件に応じたリンク種別の無線リンクを、対象無線機器からの無線リンクの接続順（到達性）に従って、表示無線リンクとして選択する機能を有している。対象通信経路については、各無線リンクの接続関係を対象無線機器からゲートウェイＧＷまで探索することにより特定できる。
【００３５】
無線機器選択部１５Ｄは、記憶部１４の通信状態情報１４Ａに基づいて、各無線機器のうちから、無線リンク選択部１５Ｃで選択された表示無線リンクに接続されている無線機器を表示無線機器として選択する機能を有している。
【００３６】
通信経路表示部１５Ｅは、対象無線機器とゲートウェイＧＷとの間を結ぶ各対象通信経路のうち、無線リンク選択部１５Ｃで選択された表示無線リンクおよび無線機器選択部１５Ｄで選択された表示無線機器から構成される表示通信経路を、画面表示部１３で画面表示する機能を有している。
【００３７】
［第１の実施の形態の動作］
次に、図３を参照して、本実施の形態にかかる通信経路表示装置１０の通信経路表示動作について説明する。図３は、第１の実施の形態にかかる通信経路表示処理を示すフローチャートである。
通信経路表示装置１０は、操作入力部１２で検出された作業者による通信経路表示指示に応じて、図３の通信経路表示処理を開始する。
【００３８】
まず、表示条件入力部１５Ａは、操作入力部１２により検出された作業者操作に応じて、評価対象となる対象無線機器および表示条件を取得する（ステップ１００）。
続いて、通信状態情報取得部１５Ｂは、通信Ｉ／Ｆ部１１から通信回線Ｌを介してゲートウェイＧＷとデータ通信を行うことにより、ゲートウェイＧＷから最新の通信状態情報１４Ａを取得して記憶部１４に保存する（ステップ１０１）。
【００３９】
次に、無線リンク選択部１５Ｃは、記憶部１４の通信状態情報１４Ａに基づいて、表示条件入力部１５Ａで取得した評価対象となる対象無線機器とゲートウェイＧＷとの間を結ぶ各対象通信経路を特定し（ステップ１０２）、各無線リンクのうちから、これら対象通信経路を構成し、かつ、指定された表示条件に応じたリンク種別の無線リンクを、表示無線リンクとして選択する（ステップ１０３）。
【００４０】
続いて、無線機器選択部１５Ｄは、記憶部１４の通信状態情報１４Ａに基づいて、各無線機器のうちから、無線リンク選択部１５Ｃで選択された表示無線リンクに接続されている無線機器を表示無線機器として選択する（ステップ１０４）。
【００４１】
この後、通信経路表示部１５Ｅは、対象無線機器とゲートウェイＧＷとの間を結ぶ各対象通信経路のうち、無線リンク選択部１５Ｃで選択された表示無線リンクおよび無線機器選択部１５Ｄで選択された表示無線機器から構成される表示通信経路を、画面表示部１３で画面表示し（ステップ１０５）、一連の通信経路表示処理を終了する。
【００４２】
［第１の実施の形態の動作例］
次に、図４および図５を参照して、本実施の形態にかかる通信経路表示動作の動作例について説明する。図４は、無線ネットワークの構成例であり、図２の通信状態情報に基づくものである。図５は、第１の実施の形態にかかる対象通信経路の画面表示例である。
ここでは、対象無線機器として無線機器Ｇが指定されるとともに、表示条件としてセカンダリが指定された場合を例として説明する。
【００４３】
図４に示す無線ネットワークのうち、対象無線機器として無線機器Ｇが指定された場合、まず、無線リンク選択部１５Ｃは、記憶部１４の通信状態情報１４Ａに基づいて、無線機器ＧからゲートウェイＧＷまでの対象通信経路が特定される。この例では、無線機器Ｇ→無線リンクＬ１１→無線機器Ａ→無線リンクＬ２→中継器ＡＰ→無線リンクＬ１→ゲートウェイＧＷという通信経路と、無線機器Ｇ→無線リンクＬ１２→無線機器Ｂ→無線リンクＬ３→無線機器Ａ→無線リンクＬ２→中継器ＡＰ→無線リンクＬ１→ゲートウェイＧＷという通信経路とが存在している。
【００４４】
次に、無線リンク選択部１５Ｃは、通信状態情報１４Ａに含まれる各無線リンクのうちから、これら対象通信経路を構成する無線リンクであって、かつ、リンク種別がセカンダリ以上、すなわちプライマリまたはセカンダリの無線リンクを、対象無線機Ｇから無線リンクの接続順に従って、表示無線リンクとして選択する。これにより、無線リンクＬ１１，Ｌ１２，Ｌ３，Ｌ２，Ｌ１が表示無線リンクとして選択される。
【００４５】
続いて、無線機器選択部１５Ｄは、表示無線リンクＬ１１，Ｌ１２，Ｌ３，Ｌ２，Ｌ１に接続されている無線機器Ｇ，Ｂ，Ａ，ＡＰ，ＧＷを表示無線機器として選択する。
この後、通信経路表示部１５Ｅは、図５に示すように、これら表示無線リンクＬ１１，Ｌ１２，Ｌ３，Ｌ２，Ｌ１および無線機器Ｇ，Ｂ，Ａ，ＡＰ，ＧＷからなる表示通信経路を画面表示部１３で画面表示する。
【００４６】
また、表示条件としてプライマリが指定された場合、表示無線リンクとして無線リンクＬ１２，Ｌ３が選択されなくなり、表示無線機器として無線機器Ｂも選択されなくなる。これにより、表示無線リンクＬ１１，Ｌ２，Ｌ１および無線機器Ｇ，Ａ，ＡＰ，ＧＷからなる表示通信経路が画面表示部１３で画面表示される。
【００４７】
したがって、図４に示す通信ネットワーク１全体が画面表示された煩雑な表示画面として比較して、図５では、評価対象である無線機器ＧとゲートウェイＧＷとを結ぶ対象通信経路のうち、表示条件に応じた表示通信経路のみが選択表示されており、評価対象である無線機器ＧとゲートウェイＧＷとを結ぶ通信経路の形成状況を容易に確認することが可能となる。
【００４８】
［第１の実施の形態の効果］
このように、本実施の形態は、通信状態情報取得部１５Ｂが通信回線Ｌを介してゲートウェイＧＷから取得した通信状態情報１４Ａに基づいて、無線リンク選択部１５Ｃが、各無線機器間の無線リンクのうちから、評価対象である対象無線機器とゲートウェイＧＷとの間を結ぶ対象通信経路を構成し、かつ、指定された表示条件に応じたリンク種別の無線リンクを、表示無線リンクとして選択し、無線機器選択部１５Ｄが、これら無線機器のうちから、表示無線リンクに接続されている無線機器を表示無線機器として選択し、通信経路表示部１５Ｅが、対象無線機器とゲートウェイＧＷとの間を結ぶ対象通信経路として、表示無線リンクおよび表示無線機器から構成される表示通信経路を画面表示するようにしたものである。
【００４９】
これにより、評価対象である無線機器ＧとゲートウェイＧＷとを結ぶ対象通信経路だけでなく、これら対象通信系のうち、表示条件に応じた表示通信経路のみが選択されて画面表示される。したがって、ゲートウェイＧＷの配下に無線リンクを介して複数の無線機器がメッシュ状に接続された無線ネットワーク１において、任意の無線機器とゲートウェイとを結ぶ通信経路が冗長的に複数存在する場合でも、現在使用されている現用系の通信経路、さらには予備系として使用される可能性が高い通信経路を正確に画面表示することができる。
【００５０】
このため、作業者は、通信ネットワーク１全体が画面表示された煩雑な表示画面として比較して、評価対象となる無線機器の通信経路の形成状況を表示画面で容易に確認することが可能となる。したがって、無線機器の移設・新規設置やメンテナンスによる無線機器の一時停止などの作業時において、極めて正確に評価対象となる無線機器の通信経路の形成状況を把握することができ、作業負担の軽減や作業品質の向上を実現することが可能となる。
【００５１】
また、本実施の形態において、各無線リンクのリンク種別として、当該無線リンクの通信品質に応じてゲートウェイＧＷにより付与された当該無線リンクの使用優先順位を用い、無線リンク選択部１５Ｃが、表示無線リンクを選択する際、無線リンクのうちから、対象無線機器とゲートウェイＧＷとの間を結ぶ対象通信経路を構成し、かつ、表示条件で指定された順位以上の使用優先順位を示すリンク種別の無線リンクを、表示無線リンクとして選択するようにしてもよい。
これにより、無線リンクの使用優先順位に応じた表示条件を指定することにより、画面表示で確認したい対象通信経路を容易に選択でき、作業状況に応じた適切な通信経路表示を実現できる。
【００５２】
また、本実施の形態では、無線リンク選択部１５Ｃにおいて、表示条件に基づき表示無線リンクを選択する際、表示条件で指定された使用優先順位以上の無線リンクを表示無線リンクとして選択する場合を例として説明したが、これに限定されるものではなく、表示条件と同じ使用優先順位の無線リンクを表示無線リンクとして選択するようにしてもよい。これにより、例えば表示条件がセカンダリの場合、前述のようにプライマリとセカンダリの無線リンクが選択されるのではなく、セカンダリのみが選択される。これにより、冗長経路として使用される可能性が高い通信経路のみを正確に画面表示することができる。
【００５３】
また、本実施の形態において、通信経路表示部１５Ｅが、表示通信経路を画面表示する際、当該表示無線リンクのリンク種別に基づいて、表示無線リンクを区別して画面表示するようにしてもよい。例えば、図５の画面表示例では、プライマリの無線リンクが実線矢印で表示され、セカンダリの無線リンクが破線矢印で表示されている。これにより、各無線リンクのリンク種別を容易に視認することができる。区別表示の方法については、表示線のスタイルだけでなく、線色や線の太さなどで区別表示してもよい。
【００５４】
［第２の実施の形態］
次に、本発明の第２の実施の形態にかかる通信経路表示装置１０について説明する。
一般に、無線機器の移設・新規設置やメンテナンスによる無線機器の一時停止などの作業時において、流入する通信トラヒックにより変化する無線機器の処理負荷も考慮する必要がある。例えば、対象通信経路の通信品質改善のため新たな無線機器を新規設置する場合、対象通信経路上に位置する各無線機器の処理負荷を推定できれば、処理負荷が高い無線機器を容易に特定して、その迂回経路を新たな無線機器で形成することができる。
【００５５】
第１の実施の形態では、評価対象である対象無線機器とゲートウェイＧＷとを結ぶ評価対象経路のみを画面表示する場合を例として説明した。本実施の形態では、対象通信経路上に位置する各無線機器の配下に接続された無線機器を、その機器数で省略表示するようにしたものである。
【００５６】
本実施の形態において、無線リンク選択部１５Ｃは、表示無線リンク以外の無線リンクのうちから、表示無線機器ごとに、当該表示無線機器の配下に接続され、かつ、表示条件と一致するリンク種別の無線リンクを、当該表示無線機器からの無線リンクの接続順（到達性）に従って、省略無線リンクとして選択する機能を有している。
無線機器選択部１５Ｄは、表示無線機器ごとに、省略無線リンクを介して表示無線機器の配下に接続されている省略無線機器を選択する機能を有している。
【００５７】
通信経路表示部１５Ｅは、表示通信経路を画面表示する際、表示無線機器ごとに、当該表示無線機器の配下に接続されている省略無線機器を当該機器数で省略表示する機能を有している。
本実施の形態にかかる他の構成については、第１の実施の形態と同様であり、ここでの詳細な説明は省略する。
【００５８】
［第２の実施の形態の動作］
次に、図６を参照して、本実施の形態にかかる通信経路表示装置１０の通信経路表示動作について説明する。図６は、第２の実施の形態にかかる通信経路表示処理を示すフローチャートである。
通信経路表示装置１０は、操作入力部１２で検出された作業者による通信経路表示指示に応じて、図６の通信経路表示処理を開始する。
【００５９】
まず、表示条件入力部１５Ａは、操作入力部１２により検出された作業者操作に応じて、評価対象となる対象無線機器および表示条件を取得する（ステップ２００）。
続いて、通信状態情報取得部１５Ｂは、通信Ｉ／Ｆ部１１から通信回線Ｌを介してゲートウェイＧＷとデータ通信を行うことにより、ゲートウェイＧＷから最新の通信状態情報１４Ａを取得して記憶部１４に保存する（ステップ２０１）。
【００６０】
次に、無線リンク選択部１５Ｃは、記憶部１４の通信状態情報１４Ａに基づいて、表示条件入力部１５Ａで取得した評価対象となる対象無線機器とゲートウェイＧＷとの間を結ぶ各対象通信経路を特定し（ステップ２０２）、各無線リンクのうちから、これら対象通信経路を構成し、かつ、指定された表示条件に応じたリンク種別の無線リンクを、表示無線リンクとして選択する（ステップ２０３）。
【００６１】
続いて、無線機器選択部１５Ｄは、記憶部１４の通信状態情報１４Ａに基づいて、各無線機器のうちから、無線リンク選択部１５Ｃで選択された表示無線リンクに接続されている無線機器を表示無線機器として選択する（ステップ２０４）。
【００６２】
この後、通信経路表示部１５Ｅは、対象無線機器とゲートウェイＧＷとの間を結ぶ各対象通信経路のうち、無線リンク選択部１５Ｃで選択された表示無線リンクおよび無線機器選択部１５Ｄで選択された表示無線機器から構成される表示通信経路を、画面表示部１３で画面表示する（ステップ２０５）。
【００６３】
次に、無線リンク選択部１５Ｃは、表示無線リンク以外の無線リンクのうちから、表示無線機器ごとに、当該表示無線機器の配下に接続され、かつ、表示条件と一致するリンク種別の無線リンクを、省略無線リンクとして選択する（ステップ２０６）。
続いて、無線機器選択部１５Ｄは、表示無線機器ごとに、省略無線リンクを介して表示無線機器の配下に接続されている省略無線機器を選択する（ステップ２０７）。
この後、通信経路表示部１５Ｅは、表示通信経路を画面表示する際、表示無線機器ごとに、当該表示無線機器の配下に接続されている省略無線機器を当該機器数で省略表示し（ステップ２０８）、一連の通信経路表示処理を終了する。
【００６４】
［第２の実施の形態の動作例］
次に、図７および図８を参照して、本実施の形態にかかる通信経路表示動作の動作例について説明する。図７は、第２の実施の形態にかかる対象通信経路の画面表示例である。図８は、第２の実施の形態にかかる対象通信経路の他の画面表示例である。
ここでは、対象無線機器として無線機器Ｇが指定されるとともに、表示条件としてセカンダリが指定された場合を例として説明する。
【００６５】
図４に示す無線ネットワークのうち、対象無線機器として無線機器Ｇが指定された場合、まず、無線リンク選択部１５Ｃは、記憶部１４の通信状態情報１４Ａに基づいて、無線機器ＧからゲートウェイＧＷまでの対象通信経路が特定される。この例では、無線機器Ｇ→無線リンクＬ１１→無線機器Ａ→無線リンクＬ２→中継器ＡＰ→無線リンクＬ１→ゲートウェイＧＷという通信経路と、無線機器Ｇ→無線リンクＬ１２→無線機器Ｂ→無線リンクＬ３→無線機器Ａ→無線リンクＬ２→中継器ＡＰ→無線リンクＬ１→ゲートウェイＧＷという通信経路とが存在している。
【００６６】
次に、無線リンク選択部１５Ｃは、通信状態情報１４Ａに含まれる各無線リンクのうちから、これら対象通信経路を構成する無線リンクであって、かつ、リンク種別がセカンダリ以上、すなわちプライマリまたはセカンダリの無線リンクを、対象無線機Ｇから無線リンクの接続順に従って、表示無線リンクとして選択する。これにより、無線リンクＬ１１，Ｌ１２，Ｌ３，Ｌ２，Ｌ１が表示無線リンクとして選択される。
【００６７】
続いて、無線機器選択部１５Ｄは、表示無線リンクＬ１１，Ｌ１２，Ｌ３，Ｌ２，Ｌ１に接続されている無線機器Ｇ，Ｂ，Ａ，ＡＰ，ＧＷを表示無線機器として選択する。
この後、通信経路表示部１５Ｅは、図５に示すように、これら表示無線リンクＬ１１，Ｌ１２，Ｌ３，Ｌ２，Ｌ１および無線機器Ｇ，Ｂ，Ａ，ＡＰ，ＧＷからなる表示通信経路を画面表示部１３で画面表示する。
【００６８】
次に、無線リンク選択部１５Ｃは、表示無線リンクＬ１１，Ｌ１２，Ｌ３，Ｌ２，Ｌ１以外の無線リンクから、表示無線機器Ｇ，Ｂ，Ａ，ＡＰ，ＧＷごとに、これらの配下に接続され、かつ、表示条件と一致するリンク種別の無線リンクを、表示無線機器からの無線リンクの接続順に従って、省略無線リンクとして選択する。これにより、ゲートウェイＧＷの省略無線リンクとして、ゲートウェイＧＷからの無線リンクの接続順に従って、無線リンクＬ４，Ｌ９，Ｌ６，Ｌ７，Ｌ８，Ｌ１３，Ｌ１４，Ｌ１５，Ｌ１７が選択される。また、表示無線機器Ａの省略無線リンクとして、表示無線機器Ａからの無線リンクの接続順に従って、無線リンクＬ５，Ｌ１４，Ｌ１５，Ｌ１７が選択される。また、表示無線機器Ｇの省略無線リンクとして、無線リンクＬ１６が選択される。
【００６９】
続いて、無線機器選択部１５Ｄは、表示無線機器Ｇ，Ｂ，Ａ，ＡＰ，ＧＷごとに、それぞれの省略無線リンクを介して接続されている無線機器を省略無線機器として選択する。これにより、ゲートウェイＧＷの省略無線機器として、無線機器Ｃ，Ｆ，Ｄ，Ｅ，Ｈ，Ｉ，Ｊが選択される。また、無線機器Ａの省略無線機器として、無線機器Ｄ，Ｈ，Ｉ，Ｊが選択される。また、無線機器Ｇの省略無線機器として、無線機器Ｉが選択される。
【００７０】
この後、通信経路表示部１５Ｅは、表示通信経路を画面表示する際、表示無線機器ごとに、当該表示無線機器の配下に接続されている省略無線機器を当該機器数で省略表示する。これにより、ゲートウェイＧＷの省略無線機器Ｃ，Ｆ，Ｄ，Ｅ，Ｈ，Ｉ，Ｊが機器数「７」で省略表示され、無線機器Ａの省略無線機器Ｄ，Ｈ，Ｉ，Ｊが機器数「４」で省略表示され、無線機器Ｇの省略無線機器Ｉが機器数「１」で省略表示される。
【００７１】
また、表示条件としてプライマリが指定された場合、ゲートウェイＧＷの省略無線リンクとして、ゲートウェイＧＷからの無線リンクの接続順に従って、無線リンクＬ４，Ｌ９，Ｌ７，Ｌ１３，Ｌ１５，Ｌ１７が選択される。また、表示無線機器Ａの省略無線リンクとして、表示無線機器Ａからの無線リンクの接続順に従って、無線リンクＬ５が選択される。また、表示無線機器Ｇの省略無線リンクがなくなる。これにより、ゲートウェイＧＷの省略無線機器として、無線機器Ｃ，Ｆ，Ｅ，Ｈ，Ｉ，Ｊが選択される。また、無線機器Ａの省略無線機器として、無線機器Ｄが選択される。また、無線機器Ｇの省略無線機器がなくなる。
【００７２】
これにより、図８に示すように、ゲートウェイＧＷの省略無線機器Ｃ，Ｆ，Ｅ，Ｈ，Ｉ，Ｊが機器数「６」で省略表示され、無線機器Ａの省略無線機器Ｄが機器数「１」で省略表示される。
【００７３】
したがって、図５の画面表示例と比較して、図７や図８の画面表示例によれば、評価対象である無線機器ＧとゲートウェイＧＷとを結ぶ対象通信経路だけでなく、対象通信経路を構成する各表示無線機器の配下に接続されている省略無線機器を、表示条件に応じた機器数で把握することができ、各表示無線機器での処理負担を推定することができる。
【００７４】
［第２の実施の形態の効果］
このように、本実施の形態は、無線リンク選択部１５Ｃが、表示無線リンク以外の無線リンクのうちから、表示無線機器ごとに、当該表示無線機器の配下に接続され、かつ、表示条件と一致するリンク種別の無線リンクを、省略無線リンクとして選択し、無線機器選択部１５Ｄが、表示無線機器ごとに、省略無線リンクを介して表示無線機器の配下に接続されている省略無線機器を選択し、通信経路表示部１５Ｅが、表示通信経路を画面表示する際、表示無線機器ごとに、当該表示無線機器の配下に接続されている省略無線機器を当該機器数で省略表示するようにしたものである。
【００７５】
これにより、対象通信経路を構成する各表示無線機器の配下に接続されている省略無線機器が、表示条件に応じた機器数で、対象通信経路とともに表示画面に省略表示される。したがって、無線機器の移設・新規設置やメンテナンスによる無線機器の一時停止などの作業時において、流入する通信トラヒックにより変化する無線機器の処理負荷を考慮することができる。このため、例えば、対象通信経路の通信品質改善のため新たな無線機器を新規設置する場合、対象通信経路上に位置する各無線機器の処理負荷を推定でき、処理負荷が高い無線機器を迂回する経路を新たな無線機器で形成するなど、より適切かつ効果的な無線ネットワークを構築することが可能となる。
【００７６】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００７７】
１…無線ネットワーク、１０…通信経路表示装置、１１…通信Ｉ／Ｆ部、１２…操作入力部、１３…画面表示部、１４…記憶部、１４Ａ…通信状態情報、１４Ｐ…プログラム、１５…演算処理部、１５Ａ…表示条件入力部、１５Ｂ…通信状態情報取得部、１５Ｃ…無線リンク選択部、１５Ｄ…無線リンク選択部、１５Ｅ…通信経路表示部、Ｌ…通信回線、２０…無線機器群、ＧＷ…ゲートウェイ、ＨＳ…ホストシステム。
【図１】
2015099953.tif 000003
【図２】
2015099953.tif 000004
【図３】
2015099953.tif 000005
【図４】
2015099953.tif 000006
【図５】
2015099953.tif 000007
【図６】
2015099953.tif 000008
【図７】
2015099953.tif 000009
【図８】
2015099953.tif 000010